【事件の表示】
　平成１０年特許願第１２８５１７号「遮光性感光性樹脂組成物及びそれを用いたカラーフィルター」拒絶査定不服審判事件〔平成１１年１１月２６日出願公開、特開平１１−３２３１４４〕について、次のとおり審決する。
【結　論】
　本件審判の請求は、成り立たない。
【理　由】
［１］手続きの経緯 
　本願は、平成１０年５月１２日の特許出願であって、平成１４年９月１７日に審査請求がされ、平成１６年４月３０日付けで拒絶理由が通知され、その指定期間内である平成１６年７月８日に意見書が提出されたが、平成１６年８月１６日付けで拒絶査定がなされ、これに対し平成１６年９月２４日に拒絶査定に対する審判請求がなされ、平成１８年１１月６日付けで拒絶理由が通知され、平成１８年１２月２８日に意見書及び手続補正書が提出されたものである。
 ［２］拒絶の理由 
 　 
 平成１８年１１月６日付けの拒絶理由通知の理由１の概要は以下のとおりである。 
　本願の請求項１〜６に係る発明は、その出願前日本国内または外国において頒布された下記１〜４の刊行物に記載された発明に基づいて、その出願前にその発明の属する技術の分野における通常の知識を有する者が容易に発明をすることができたものであるから、特許法第２９条第２項の規定により特許を受けることができない。
 
（引用文献一覧） 
 １．特開平１０−８２９０８号公報 
 ２．特開平９−１２４９６９号公報 
 ３．特開平９−１６６８６９号公報 
 ４．特公平２−１９８４４号公報 
［３］当審における特許法第２９条第２項の適用についての判断
　
　［３−１］本願発明
　本願請求項１に係る発明（以下、「本願発明」という。）は、平成１８年１２月２８日付け手続補正書により補正された明細書の特許請求の範囲請求項１に記載された次のとおりのものである。
　「【請求項１】　バインダー樹脂、エチレン性不飽和二重結合含有化合物及び光重合開始剤を含有する光重合系であって、且つ、（ａ）エポキシ樹脂で被覆されたカーボンブラック及び（ｂ）塩基性官能基を有する高分子分散剤を含有することを特徴とする遮光性感光性樹脂組成物。」
　
 　［３−２］引用例（刊行物）に記載の事項
 引用例１：刊行物１（特開平１０−８２９０８号公報）には、以下の事項が記載されている。
（摘示記載１−１）「樹脂、光重合開始剤の作用により硬化するモノマー、光重合開始剤、顔料、分散剤及び溶剤を含むレジスト組成物であって、分散剤が塩基性官能基を有するポリエステルまたはポリエーテルからなる高分子分散剤であることを特徴とするカラーフィルター用レジスト組成物。」（請求項１）
（摘示記載１−２）「本発明で使用される高分子分散剤は塩基性官能基を有するポリエステルまたはポリエーテルである。〜本発明に於けるポリエステル又はポリエーテルは、それぞれ部分構造として−ＣＯＯ−又は−Ｃ−Ｏ−Ｃを有する高分子化合物を意味し、部分構造として両者を含むポリエステルポリオールも包含する。」（段落【００１９】）
（摘示記載１−３）「黒色顔料が、カーボンブラックであること・・・」（請求項４）。 
（摘示記載１−４）「本発明で使用される顔料としては、特に限定されるものではない。好ましくは黒色顔料で、アントラキノン系顔料、ペリレン系顔料、ジスアゾ顔料、フタロシアニン顔料、イソインドリン顔料、ジオキサジン顔料、キナクリドン顔料、ペリノン系顔料、トリフェニルメタン系顔料、チオインジゴ顔料などの有機顔料を混合して黒色とすることも可能であるが、遮光力の強いカーボンブラックを用いるのが好ましい。」（段落【００１６】）
（摘示記載１−５）「実施例１０　カラーフィルターの作製
カラーフィルターを作製するにあたりＲＧＢ画素形成用のカラーレジスト感光液を下記のようにして調合した。
＜赤、青、緑インキの製造＞
赤色インキ
赤顔料（ジケトピロロピロール  ＰＲ−２５４）２０ｇ、黄色顔料（イソインドリンイエロー  ＰＹ−１３９）５ｇ、
高分子分散剤ＢＹＫ−１６１（ビックケミー社）
【００３５】青色インキ
青顔料（フタロシアニンブルー  ＰＢ−１５；３）２５ｇ、高
分子分散剤ＢＹＫ−１６１（ビックケミー社）
【００３６】緑色インキ
緑色顔料（フタロシアニングリーン  ＰＧ−３６）２０ｇ、黄色顔料（イソインドリンイエロー  ＰＹ−１３９）５ｇ、
高分子分散剤ＢＹＫ−１６１（ビックケミー社）
【００３７】＜カラーレジスト液の調合＞上記カラーインキを用いて下記の割合となるよう各カラーレジスト感光液を調液した。
ａ）バインダー樹脂（合成例−１）２５ｇ
ｂ）ジペンタエリスリトールヘキサアクリレート１５ｇ
ｃ）開始剤（３種併用）
  ｃ−１）２−（２−クロロフェニル）−４，５−ジフェニルイミダゾール２量体 ２ｇ
  ｃ−２）４，４’−ビス（ジエチルアミノ）ベンゾフェノン １ｇ
  ｃ−３）２−メルカプトベンゾチアゾール １ｇ
ｄ）添加剤
  無水マレイン酸  １ｇ
  ＦＣ−４３０（住友３Ｍ社製  レベリング剤）１００ｐｐｍ
ｅ）上記顔料インキ（赤、青又は緑  各色）７０ｇ
ｆ）プロピレングリコールモノメチルエーテルアセテート ２７０ｇ
上記成分を撹拌機により撹拌均一化させた後、０．５μのテフロン製メンブレンフィルターにより濾過した。」（実施例１０　なお、ここで用いられている「高分子分散剤ＢＹＫ−１６１（ビックケミー社）」は引用例１の第９頁の表−２の記載を参考にするとアミン価が１１のポリエステルポリオール系高分子分散剤である。なお原文には下線は付されていない。）
（摘示記載１−６）「【請求項１０】  透明基板上に請求項３〜９のいずれかに記載のカラーフィルター用組成物により形成されてなるブラックマトリックスを有するカラーフィルター。」（請求項１０）
引用文献２：刊行物２（特開平９−１２４９６９号公報）には、以下の事項が記載されている。
（摘示記載２−１）「多官能エポキシ樹脂で被覆したカーボンブラックを遮光剤としたブラックマトリックスを用いて成るカラーフィルター」（請求項４）
（摘示記載２−２）「このようにして樹脂で被覆処理してなるカーボンブラックは、常法に従い絶縁性ブラックマトリックスの遮光材として用いることができ、この絶縁性ブラックマトリックスを構成要素とするカラフィルターを常法により作成することができる。たとえば、本発明のブラックマトリックス用レジスト組成物の調製に当たっては・・・混合分散することによりレジスト組成物を調製する。」（段落【００２１】）
（摘示記載２−３）「本発明のカーボンブラックによれば、高遮光率で、表面反射率が低く、膜厚の小さいブラックマトリックスを低コストで達成しうるとともに、透明保護膜や透明絶縁膜の不要な高温に耐えうるブラックマトリックスを達成しうる。」（段落【００３８】）
（摘示記載２−４）「【００２２】ブラックマトリックス用レジスト組成物を調製する際の最適配合割合は下記の通りである。
(1) 分散剤は、カーボンブラックに対し、１〜１００重量％
(2) 光重合開始剤組成物は、カーボンブラックを除くブラックマトリックス用レジスト組成物に対し、０．２〜３０重量％、好ましくは０．２〜２０重量％
(3)エチレン性化合物は、カーボンブラックを除くブラックマトリックス用レジスト組成物に対し、５０〜９５重量％、好ましくは６０〜９０重量％
(4)有機高分子物質は、カーボンブラックを除くブラックマトリックス用レジスト組成物に対し、１０〜７０重量％、好ましくは２０〜６０重量％
(5)カーボンブラックは、レジスト組成物中の全固形分に対し、３５〜８０重量％、好ましくは５０〜７０重量％
  溶剤は、上記(1)(2)(3)(4)(5)の光重合性組成物全体に対し、５０〜９５重量％、好ましくは７０〜９０重量％の範囲となるように調整される。
【００２３】又、ここで用いるカーボンブラック以外の上記物質は、一般に同種目的に使用されている物は全て使用可能であるが、特に好ましい例として次のような物が挙げられる。
「分散剤」ウレタン系、アクリル系、ポリイミド系等の熱硬化性樹脂、アクリル系、塩化ビニル系、ポリアミド系等の熱可塑性樹脂等の高分子分散剤が好ましい。」（段落【００２２】〜段落【００２３】　なお(1)〜(5)は原文では○中の１〜５である。）
引用文献３：刊行物３（特開平９−１６６８６９号公報）には、以下の事項が記載されている。
（摘示記載３−１）「【請求項１】（ａ）高分子バインダー、（ｂ）光重合性モノマー、（ｃ）光重合開始剤および（ｄ）遮光性顔料を含有する遮光膜形成用感光性樹脂組成物において、前記（ｄ）遮光性顔料が樹脂被覆されたカーボンブラックであることを特徴とする遮光膜形成用感光性樹脂組成物。」（請求項１）
（摘示記載３−２）「【請求項２】カーボンブラックを被覆する樹脂が、エポシキ基、チオエポキシ基、オキサゾリン基、アジリジン基及びヒドロキシアルキルアミド基から選ばれる少なくとも１種の反応性基を有するモノマーを重合成分とする樹脂であることを特徴とする請求項１記載の遮光膜形成用感光性樹脂組成物。」（請求項２）
（摘示記載３−３）「【発明の属する技術分野】本発明は、遮光膜形成用感光性樹脂組成物、該遮光膜形成用感光性樹脂組成物で形成されたブラックマトリックス、及びその製造方法、さらに詳しくは電気絶縁性に優れ、液晶パネル、プラズマディスプレイパネル等のブラックマトリックスを形成するのに好適な遮光膜形成用感光性樹脂組成物、該遮光膜形成用感光性樹脂組成物で形成されたブラックマトリックス、及びその製造方法に関する。」（段落【０００１】）
（摘示記載３−４）「【００３４】上記樹脂被覆カーボンブラックを製造するにあたって、該カーボンブラックの分散性を良好にするためポリウレタン系、ポリエステル系、ポリアミド系、ポリスチレン系、ポリオレフィン系などのエラストマーを添加してもよい。」（段落【００３４】）
引用文献４：刊行物４（特公平２−１９８４４号公報）には、以下の事項が記載されている。
（摘示記載４−１）「叙上の付加化合物を主要成分とする分散剤によつてコーテイングされて液体系に分散させられた粉状または繊維状の固体は、技術の実情に応じて分散剤でコーテイングされた種類のものであり、特に塗料、塗装用化合物（coating compound）、塑造用化合物（moulding compound）または他の合成樹脂に用いられる有機または無機顔料や、塗料、塗装用化合物、塑造用化合物または他の合成樹脂の充填あるいは強化に用いられる無機または有機充填剤などである。」（第８欄３５行〜４４行） 
 （摘示記載４−２）「平均2.5〜６の官能性を有するポリイソシアネートを (a) 該ポリイソシアネートのNCO基の15〜50％と反応する量の一般式（Ｉ）： Ｙ−OH （Ｉ） 
 （式中Ｙは (i) 部分的に水素原子がハロゲン原子および／またはアリール基で置換されていてもよい炭素数８〜30個の脂肪族および／または脂環式炭化水素であるか、(ii) 部分的に水素原子がハロゲン原子で置換されていてもよい分子量350〜8000で少なくとも１個の−Ｏ−基および／または−COO−基を有する脂肪族、脂環式および／または芳香族炭化水素である）で示される水酸基を１個有する化合物と反応させる工程、および (b) 当初に供したポリイソシアネートのNCO基の15〜45％と反応し、かつ工程(a)と工程(b)とで反応するNCO基の合計が少なくとも40％でかつ多くとも75％となる量の一般式（II）： Ｇ−（Ｅ）ｎ （II）（式中、Ｅは−OH基、−NH2基および／または−NHR基（Ｒは炭素数１〜４個のアルキル基）、ｎは２または３、Ｇは少なくとも２個の炭素原子を有する多くとも3000の分子量の脂肪族、脂環式および／または芳香族炭化水素をあらわし、−Ｏ−基、−COO−基、−CONH−基、−Ｓ−基および／または−SO2−基を有していてもよい）で示される化合物と反応させる工程、または、一般式（I）で示される化合物と一般式（II）で示される化合物との混合物と反応させる工程、ならびに (c) えられた反応生成物を、前記工程(a)および(b)で反応せずに残つた各イソシアネート基に対して少なくとも１個の分子が利用できる量の一般式（III）：  Ｚ−Ｑ （III）（式中、Ｑは−OH基、−NH2基、−NHR基（Ｒは炭素数１〜４個のアルキル基）または−SH基、Ｚは少なくとも１個の第３級アミノ基を有する炭素数２〜10個の脂肪族炭化水素または炭素数１〜６個のアルキル基および／またはアルコキシ基またはアミノ基の置換基を３個まで有していてもよい、トリアゾール基、ピリミジン基、イミダゾール基、ピリジン基、モルホリン基、ピロリジン基、ピペラジン基、ベンゾイミダゾール基、ベンゾチアゾール基、トリアジン基および／またはメラミン基であり、該複素環式炭化水素は10個までの炭素原子を有するアルキレン基を介してＱ基に結合していてもよい）で示されるツエレビチノフの活性水素原子と少なくとも１個の窒素原子含有塩基性基を有する化合物と反応させる工程からなることを特徴とし、これらの反応工程を溶媒の存在下または不存在下で触媒の存在下または不存在下にて行なう、分散剤として好適な付加化合物またはその塩の製法。」（請求項１） 
（摘示記載４−３） 「一般式（I）で示される水酸基を１個有する化合物が平均分子量Ｍｎ（註：「Ｍｎ」は原文ではアッパーライン付きのＭｎである）500〜5000のポリエステルである特許請求の範囲第１項記載の付加化合物またはその塩の製法。」（請求項８） 
（摘示記載４−４）「一般式（II)で示される化合物が、ポリオキシアルキレングリコールである特許請求の範囲第１項記載の製法。」（請求項１０）
　［３−３］対比・判断
 　引用例１の（摘示記載１−１）に記載された「樹脂」「光重合開始剤の作用により硬化するモノマー」「光重合開始剤」はそれぞれ、本願発明の「バインダー樹脂」「エチレン性不飽和二重結合含有化合物」「光重合開始剤」に相当し、また「レジスト組成物」（摘示記載１−１）は「感光性」であることは自明であるし、カーボンブラックを用いていることから「遮光性」であることも自明であるので、当該レジスト組成物は本願発明の「遮光性感光性樹脂組成物」に相当すると認める。 
 　してみれば引用例１記載の発明は、バインダー樹脂、エチレン性不飽和二重結合含有化合物及び光重合開始剤を含有する光重合系であって、カーボンブラック及び、その分散剤として塩基性官能基を有し、部分構造として−ＣＯＯ−又は−Ｃ−Ｏ−Ｃを有するポリエステル又はポリエーテル高分子化合物からなる高分子分散剤を含有する遮光性感光性樹脂組成物であると認める。
　引用例２の摘示記載２−１に記載された「多官能エポキシ樹脂で被覆したカーボンブラック」は本願発明の「（ａ）エポキシ樹脂で被覆されたカーボンブラック」に相当し、摘示記載２−４に記載された「(4)有機高分子物質」「(3)エチレン性化合物」「(2)光重合開始剤組成物」はそれぞれ、本願発明の「バインダー樹脂」「エチレン性不飽和二重結合含有化合物」「光重合開始剤」に相当し、また「ブラックマトリックス用レジスト組成物」は「感光性」であることは自明であるし、カーボンブラックを用いていることから「遮光性」であることも自明であるので、当該レジスト組成物は本願発明の「遮光性感光性樹脂組成物」に相当すると認める。また引用例２には当該組成物に高分子分散剤を含有することも記載されている（摘示記載２−４）。
　してみれば、引用例２記載の発明は、バインダー樹脂、エチレン性不飽和二重結合含有化合物及び光重合開始剤を含有する光重合系であって、且つ、（ａ）エポキシ樹脂で被覆されたカーボンブラック及び高分子分散剤を含有する遮光性感光性樹脂組成物であると認める。
　引用例３の摘示記載３−１に記載された「（ａ）高分子バインダー」「（ｂ）光重合性モノマー」「（ｃ）光重合開始剤」「遮光膜形成用感光性樹脂組成物」はそれぞれ本願発明の「バインダー樹脂」「エチレン性不飽和二重結合含有化合物」「光重合開始剤」「遮光性感光性樹脂組成物」に相当し、摘示記載３−１に記載の「遮光性顔料が樹脂被覆されたカーボンブラックである」は摘示記載３−２の記載を参考にすると当該樹脂がエポキシ基を有するモノマーを重合成分とすることが記載されているから、引用例３には本願発明の「（ａ）エポキシ樹脂で被覆されたカーボンブラック」を含有することが記載されている。また引用例３には当該組成物に高分子分散剤を含有することも記載されている（摘示記載３−４）。
　してみれば、引用例３記載の発明は、引用例２の発明と同様に、バインダー樹脂、エチレン性不飽和二重結合含有化合物及び光重合開始剤を含有する光重合系であって、且つ、（ａ）エポキシ樹脂で被覆されたカーボンブラック及び高分子分散剤を含有する遮光性感光性樹脂組成物であると認める。
 　本願発明と引用例１記載の発明とを対比すると、カーボンブラックが前者では樹脂で被覆されているのに対し、後者では被覆されていない点で相違する。
　以下上記相違点について検討する。
　引用例２、３には、バインダー樹脂、エチレン性不飽和二重結合含有化合物、光重合開始剤及び高分子分散剤を含有する遮光性感光性樹脂組成物当該組成物において、カーボンブラックをエポキシ樹脂により被覆することで、低表面反射率、耐熱性、電気絶縁性等の特性改良が達成されることが記載されている（上記認定事項及び摘示記載２−３、３−３）。
　いずれもバインダー樹脂、エチレン性不飽和二重結合含有化合物、光重合開始剤、高分子分散剤及びカーボンブラックを含有した遮光性感光性樹脂組成物であることからすると、さらにこれら諸特性の改良を図るという自明の課題を達成するために、引用例１において引用例２，３の記載を参考にし、カーボンブラックを樹脂で被覆することは当業者が容易になし得る事項であるし、その際に引用例１に記載の塩基性官能基を有する高分子分散剤が依然として好適に使用できることは、引用例１には当該分散剤がカーボンブラックのみならず、他の有機顔料の分散剤としても好適に用いられることが記載されているし（摘示記載１−４，１−５）、引用例４に記載されているように（引用例４に記載された高分子分散剤はZ基に由来する塩基性官能基を有しているし、部分構造として−ＣＯＯ−又は−Ｃ−Ｏ−Ｃを有しているから（摘示記載４−２）、引用例１記載の高分子分散剤に相当すると解される。）当該分散剤は有機顔料及び無機顔料に好適な分散剤として知られていることから、当業者が予測しうる範囲内の事項である。
　出願人は平成１８年１２月２８日付けの意見書中で、引用例２に記載されているように、「カーボンブラックの粒子表面には、水酸基・・・やカルボニル基・・・、カルボキシル基・・・の酸素官能基が存在・・・する」（引用例２、発明の詳細な説明、段落番号００１１〜００１３）ことからして、引用例１に記載の「高分子分散剤」として、「塩基性官能基を有するポリエステルまたはポリエーテル」を用いることにより、分散剤にカーボンブラック粒子表面の前記極性基との相溶性を付与せしめて、（バインダー）樹脂中でのカーボンブラックの分散性を均一ならしめることにより、諸特性（現像性、解像性、密着性等（引用例１の段落【００４３】）を発現していると解するのが相当であるから、引用例１において、引用例２に記載の「多官能エポキシ樹脂で被覆処理してなる絶縁性ブラックマトリックス用カーボンブラック」を用いると、被覆処理されていることによりその粒子表面の前記極性基は封じ込められていることからして、前記諸特性と同様の効果が発現することが期待できるとは考えにくい旨主張している。
　しかしながら、前述したように引用例１には当該分散剤がカーボンブラックのみならず、他の有機顔料の分散剤としても好適に用いられることが記載されているし（摘示記載１−４，１−５）、引用例４に記載されているように当該分散剤は有機顔料及び無機顔料に好適な分散剤として知られていることから、カーボンブラックの表面がエポキシ樹脂で被覆されていることをもって直ちに、当該分散剤が好適に使用できないと解するのが相当であるとは言えない。
　さらに、請求項２〜４に係る発明についても検討する。
　平成１８年１２月２８日付け手続補正書により補正された明細書の特許請求の範囲請求項２〜４に記載の発明は次のとおりである。
「【請求項２】　（ｂ）塩基性官能基を有する高分子分散剤のアミン価が１〜１００ｍｇＫＯＨ／ｇであることを特徴とする請求項１に記載の遮光性感光性樹脂組成物。
　【請求項３】（ａ）エポキシ樹脂で被覆されたカーボンブラックを全固型分に対し３５〜７０重量％含有することを特徴とする請求項１又は２に記載の遮光性感光性樹脂組成物。
　【請求項４】透明基板上に請求項１〜３のいずれかに記載の遮光性感光性樹脂組成物により形成されてなるブラックマトリックスを有することを特徴とするカラーフィルター。」
請求項２について 
 　請求項１に係る発明に対する判断は上記のとおりである。さらに請求項２の発明特定事項である分散剤のアミン価が１〜１００ｍｇＫＯＨ／ｇの範囲にあることは引用例１に記載されている（請求項２）。 
 　してみれば、請求項２の発明は引用例１〜４記載の発明に基づいて当業者が容易に発明をすることができたものである。 
請求項３について　　
　請求項１〜２に係る発明に対する判断は上記のとおりである。さらに請求項３の発明特定事項である「樹脂で被覆されたカーボンブラックを前固型分に対し３５〜７０重量％含有すること」について、引用例２には、カーボンブラック（このカーボンブラックは樹脂で被覆されている）は、レジスト組成物中の全固形分に対し、３５〜８０重量％含有させることが記載されており（段落【００２２】）、これは上記請求項３に記載の範囲と重複したものである。 
 　してみれば、請求項３の発明は刊行物１〜４記載の発明に基づいて当業者が容易に発明をすることができたものである。
請求項４について
　請求項１〜３に係る発明に対する判断は上記のとおりである。さらに請求項４の発明特定事項である、透明基板上に請求項１〜３のいずれかに記載の遮光性感光性樹脂組成物により形成されてなるブラックマトリックスを有するカラーフィルターを製造することは、引用例１に記載されている（摘示記載１−６）。
　してみれば、請求項４の発明は引用例１〜４記載の発明に基づいて当業者が容易に発明をすることができたものである。
［４］むすび
　以上のとおりであるから、本願発明及び本願請求項２〜４に係る発明は引用例１〜４に記載された発明に基づいて当業者が容易に発明をすることができたものであるから、特許法第２９条第２項の規定により特許を受けることができない。